【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者が所定の動作を実行することができる有効期間を示す有効期間表示を実行可能な有効期間表示手段と、
変動表示に関する情報を保留記憶情報として記憶する保留記憶手段と、
前記有効期間表示手段によって前記有効期間表示が実行された後、前記保留記憶手段に前記保留記憶情報が所定上限数まで記憶されたときに達成報知演出を実行する達成報知演出実行手段と、を備え、
前記有効期間表示手段は、
前記有効期間の残り期間に応じて態様が変化してゆく第１表示と、前記第１表示とは態様が異なるとともに前記有効期間の残り期間に応じて態様が変化してゆく第２表示とを前記有効期間表示として実行可能であり、
前記有効期間表示の実行を開始してから残り期間が所定期間となるまでは、前記第１表示を前記有効期間表示として実行する一方、
前記有効期間表示の実行を開始してから残り期間が前記所定期間となった後は、前記第１表示が実行されている領域と重畳した領域において前記第２表示を前記有効期間表示として実行し、
前記達成報知演出実行手段は、前記有効期間表示手段によって前記第１表示に加えて前記第２表示が実行されているときに、前記保留記憶手段に前記保留記憶情報が前記所定上限数まで記憶された場合は、前記達成報知演出の実行を制限する、遊技機。
【請求項２】
第１可変表示を行う第１可変表示手段と、
第２可変表示を行う第２可変表示手段と、
遊技媒体が進入可能な特定領域が内部に設けられ所定状態において前記遊技媒体が進入可能な状態に制御可能な可変入賞手段と、をさらに備え、
少なくとも前記第１可変表示手段の表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に前記遊技媒体が進入したことに基づいて遊技者にとって有利な第２有利状態に制御可能であり、
前記保留記憶手段は、前記第２可変表示手段による前記第２可変表示に関する情報を前記保留記憶情報として前記所定上限数まで記憶可能であり、
前記第１有利状態および前記第２有利状態が終了したことに基づいて、所定回数、前記第２可変表示が通常状態よりも実行されやすい時短状態に制御可能な時短制御手段と、
前記時短制御手段によって前記時短状態に制御されている間に前記保留記憶手段に前記保留記憶情報を前記所定上限数まで記憶させることを促す促進報知を実行する促進報知手段と、をさらに備え、
前記促進報知手段は、
第１態様と、前記第１態様よりも遊技者の認識度合の低い第２態様とのいずれかで前記促進報知を実行可能であり、
前記第１態様の後に前記第２態様で前記促進報知を実行しているときに、前記保留記憶手段に記憶されている前記保留記憶情報の数が前記所定上限数に達していない場合に、再度、前記第１態様で前記促進報知を実行する、請求項１に記載の遊技機。
【手続補正２】
【補正対象書類名】明細書
【補正対象項目名】０００７
【補正方法】変更
【補正の内容】
【０００７】
手段Ａの遊技機は、遊技を行うことが可能な遊技機であって、
遊技者が所定の動作を実行することができる有効期間を示す有効期間表示を実行可能な有効期間表示手段と、
変動表示に関する情報を保留記憶情報として記憶する保留記憶手段と、
前記有効期間表示手段によって前記有効期間表示が実行された後、前記保留記憶手段に前記保留記憶情報が所定上限数まで記憶されたときに達成報知演出を実行する達成報知演出実行手段と、を備え、
前記有効期間表示手段は、
前記有効期間の残り期間に応じて態様が変化してゆく第１表示と、前記第１表示とは態様が異なるとともに前記有効期間の残り期間に応じて態様が変化してゆく第２表示とを前記有効期間表示として実行可能であり、
前記有効期間表示の実行を開始してから残り期間が所定期間となるまでは、前記第１表示を前記有効期間表示として実行する一方、
前記有効期間表示の実行を開始してから残り期間が前記所定期間となった後は、前記第１表示が実行されている領域と重畳した領域において前記第２表示を前記有効期間表示として実行し、
前記達成報知演出実行手段は、前記有効期間表示手段によって前記第１表示に加えて前記第２表示が実行されているときに、前記保留記憶手段に前記保留記憶情報が前記所定上限数まで記憶された場合は、前記達成報知演出の実行を制限する、
ことを特徴とする。
さらに、手段Ｂの遊技機は、第１可変表示を行う第１可変表示手段と、
第２可変表示を行う第２可変表示手段と、
遊技媒体が進入可能な特定領域が内部に設けられ所定状態において前記遊技媒体が進入可能な状態に制御可能な可変入賞手段と、をさらに備え、
少なくとも前記第１可変表示手段の表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に前記遊技媒体が進入したことに基づいて遊技者にとって有利な第２有利状態に制御可能であり、
前記保留記憶手段は、前記第２可変表示手段による前記第２可変表示に関する情報を前記保留記憶情報として前記所定上限数まで記憶可能であり、
前記第１有利状態および前記第２有利状態が終了したことに基づいて、所定回数、前記第２可変表示が通常状態よりも実行されやすい時短状態に制御可能な時短制御手段と、
前記時短制御手段によって前記時短状態に制御されている間に前記保留記憶手段に前記保留記憶情報を前記所定上限数まで記憶させることを促す促進報知を実行する促進報知手段と、をさらに備え、
前記促進報知手段は、
第１態様と、前記第１態様よりも遊技者の認識度合の低い第２態様とのいずれかで前記促進報知を実行可能であり、
前記第１態様の後に前記第２態様で前記促進報知を実行しているときに、前記保留記憶手段に記憶されている前記保留記憶情報の数が前記所定上限数に達していない場合に、再度、前記第１態様で前記促進報知を実行する、
ことを特徴とする。
さらに、前記課題を解決するために、本発明の手段１の遊技機は、遊技を行うことが可能な遊技機（たとえば、パチンコ遊技機１）であって、
遊技者が所定の動作（たとえば、プッシュボタン１２０の押下動作、第２特別図柄の保留記憶を増やすために第２始動入賞口１４に入賞させるための打球操作ハンドル５の操作による遊技球の発射動作）を実行することができる有効期間（たとえば、操作有効期間、第２始動入賞口１４の可変入賞球装置１５の開放が頻繁に行なわれる時短状態の期間）を示す有効期間表示（たとえば、図２０−２，図２０−４，図２０−６で示す促進画像２８３Ｆ９６Ａ，２８３Ｆ９６Ｂ，２８３Ｆ９７Ａ，２８３Ｆ９７Ｂの表示）を実行可能な有効期間表示手段（たとえば、演出制御用マイクロコンピュータ１００、演出表示装置９、図２０−１のステップ２８３ＦＳ１１３，ステップ２８３ＦＳ１１５，ステップ２８３ＦＳ１１７）を備え、
前記有効期間表示手段は、
前記有効期間の残り期間に応じて態様が変化してゆく第１表示（たとえば、図２０−２（Ｂ）の促進画像２８３Ｆ９６Ａおよび図２０−２（Ｃ）の促進画像２８３Ｆ９７Ａで示すタイムバー表示）と、前記第１表示とは態様が異なるとともに前記有効期間の残り期間に応じて態様が変化してゆく第２表示（たとえば、図２０−２（Ｄ）の促進画像２８３Ｆ９６Ｂおよび図２０−２（Ｅ）の促進画像２８３Ｆ９７Ｂで示す秒数でのカウントダウン表示）とを前記有効期間表示として実行可能であり、
前記有効期間表示の実行を開始してから残り期間が所定期間となるまでは、前記第１表示を前記有効期間表示として実行する（たとえば、図２０−１のステップ２８３ＦＳ１１３，ステップ２８３ＦＳ１１７）一方、
前記有効期間表示の実行を開始してから残り期間が前記所定期間となった後は、前記第１表示に加えて前記第２表示を前記有効期間表示として実行する（たとえば、図２０−１のステップ２８３ＦＳ１１５，ステップ２８３ＦＳ１１７）。